(57)【要約】      （修正有）【課題】  特に長尺な枠材のパネル取付溝に対する取り付けが容易なグレイジングチャンネルを提供する。【解決手段】  一方側壁部１と他方側壁部３と溝底壁部２とを備え、一方側壁部１は、略垂直壁部２２、膨出部６を有し、膨出部６は一方側被係合部１７と係合する一方側係合部８を有し、他方側端部にパネル１３の一方側面Ｐに当接する溝開口部パネル当接部１１を有し、一方側係合部８と略垂直壁部２２との間の傾斜部７と略垂直壁部２２との交差箇所には、他方側に突出してパネル１３の一方側面Ｐに当接する交差部パネル当接部１２を有しており、他方側壁部３は、パネル１３の他方側面Ｑに沿って当接する略垂直壁をなし、枠材１４の他方側被係合部１８と係合する他方側係合部１０を有し、他方側係合部１０は、一方側係合部８よりも溝底壁部２側に位置し、溝開口部パネル当接部１１および交差部パネル当接部１２は、軟質に形成してある。【選択図】      図１
2008150923.tif 000002
【特許請求の範囲】
【請求項１】
室内外方向の一方側に位置する一方側壁部と他方側に位置する他方側壁部と一方側壁部と他方側壁部とをつなぐ溝底壁部とを備え、枠材の内周側に開口し且つその内部の一方側に余裕空間部を有するパネル取付溝に取り付けるものであり、一方側壁部は、溝底壁部側がパネルの一方側面に対向した略垂直壁部を有すると共に、略垂直壁部の溝開口側には、一方側に膨らむ膨出部を有し、膨出部は、一方側端部に枠材のパネル取付溝の溝開口端部にある一方側被係合部と係合する一方側係合部を有し、他方側端部にパネルの一方側面に当接する溝開口部パネル当接部を有し、一方側係合部と略垂直壁部との間は、溝開口側が溝底壁部側よりも一方側に位置する傾斜部を有し、傾斜部と略垂直壁部との交差箇所には、他方側に突出してパネルの一方側面に当接する交差部パネル当接部を有しており、他方側壁部は、パネルの他方側面に沿って当接する略垂直壁をなしており、他方側壁部の他方側面には、枠材のパネル取付溝内にある他方側被係合部と係合する他方側係合部を有しており、他方側係合部は、一方側係合部よりも溝底壁部側に位置しており、溝開口部パネル当接部および交差部パネル当接部は、軟質に形成してあることを特徴とするグレイジングチャンネル。
【請求項２】
他方側壁部の溝開口側端部は、薄肉で且つ軟質に形成してあると共に、パネルと枠材のパネル取付溝の溝開口端部とで挟み且つ枠材の内周側面と略面一となることを特徴とする請求項１記載のグレイジングチャンネル。
【発明の詳細な説明】
【技術分野】
【０００１】
本発明は、パネルの端部を枠材のパネル取付溝に取り付けるために用いるグレイジングチャンネルに関するものである。
【背景技術】
【０００２】
一般にグレイジングチャンネルは、枠材と隙間無く密接させて気密性と水密性を保つことを要するために、枠材に対して強く押し込みながら挿入しなければならず、このことから、グレイジングチャンネルを例えば浴室出入口のドア縦框などの長尺な枠材に取り付けるときには、大変な労力を要するものであった。特開２００４−１２４３９０号公報のように、枠材への差し込み方向側に傾斜部を設けたものがあるが、枠材のパネル取付溝の開口の広さとグレイジングチャンネルの差込側端部の幅がほとんど同一であったため、グレイジングチャンネルを枠材のパネル取付溝に差し込みにくい不都合があった。
【特許文献１】特開２００４−１２４３９０号公報
【発明の開示】
【発明が解決しようとする課題】
【０００３】
本発明は以上に述べたような実情に鑑み、特に長尺な枠材のパネル取付溝への取り付けが容易なグレイジングチャンネルを提供することにある。
【課題を解決するための手段】
【０００４】
本発明のうち請求項１記載の発明は、室内外方向の一方側に位置する一方側壁部と他方側に位置する他方側壁部と一方側壁部と他方側壁部とをつなぐ溝底壁部とを備え、枠材の内周側に開口し且つその内部の一方側に余裕空間部を有するパネル取付溝に取り付けるものであり、一方側壁部は、溝底壁部側がパネルの一方側面に対向した略垂直壁部を有すると共に、略垂直壁部の溝開口側には、一方側に膨らむ膨出部を有し、膨出部は、一方側端部に枠材のパネル取付溝の溝開口端部にある一方側被係合部と係合する一方側係合部を有し、他方側端部にパネルの一方側面に当接する溝開口部パネル当接部を有し、一方側係合部と略垂直壁部との間は、溝開口側が溝底壁部側よりも一方側に位置する傾斜部を有し、傾斜部と略垂直壁部との交差箇所には、他方側に突出してパネルの一方側面に当接する交差部パネル当接部を有しており、他方側壁部は、パネルの他方側面に沿って当接する略垂直壁をなしており、他方側壁部の他方側面には、枠材のパネル取付溝内にある他方側被係合部と係合する他方側係合部を有しており、他方側係合部は、一方側係合部よりも溝底壁部側に位置しており、溝開口部パネル当接部および交差部パネル当接部は、軟質に形成してあることを特徴とする。
【０００５】
本発明のうち請求項２記載の発明では、他方側壁部の溝開口側端部は、薄肉で且つ軟質に形成してあると共に、パネルと枠材のパネル取付溝の溝開口端部とで挟み且つ枠材の内周側面と略面一となることを特徴とする。
【発明の効果】
【０００６】
本発明のうち請求項１記載の発明によれば、グレイジングチャンネルの一方側壁部は、溝底壁部側がパネルの一方側面に対向した略垂直壁部を有している共に、他方側壁部もパネルの他方側面に沿って当接する略垂直壁をなしていることから、グレイジングチャンネルの溝底壁部側を枠材のパネル取付溝に対して差し込み易くなっている。また膨出部の溝底壁部側に傾斜部を有しているので、溝底壁部側を枠材のパネル取付溝内の余裕空間部に対して適宜な角度から差し込み、グレイジングチャンネルの他方側壁部の溝開口側端部を支点に、パネルを枠材のパネル取付溝に対して取り付けを完了する位置まで回したときには、枠材のパネル取付溝を形成する枠材の壁部にグレイジングチャンネルの一部を巻き込んで引っ掛かることなく、一方側係合部を一方側被係合部に係合し、同時に他方側係合部も他方側被係合部に係合できる。これによりパネルが嵌め込みやすくなり、グレイジングチャンネルを長尺な枠材に容易に取り付けられると共に、パネルを複数箇所で保持しているので、パネルの保持力を高めることができる。
【０００７】
本発明のうち請求項２記載の発明によれば、上記の効果に加えて、他方側壁部の溝開口側の端部を薄肉軟質に形成してあると共に、パネル取付溝に取り付けた後のグレイジングチャンネルと枠材の内周側面とが略面一になることで、枠材にグレイジングチャンネルを取り付けたときには、枠材の外部にグレイジングチャンネルの露出が少なくなって異物が滞留しにくくなり、グレイジングチャンネル表面のカビの発生が抑えられる。
【発明を実施するための最良の形態】
【０００８】
以下、本発明のグレイジングチャンネルの実施形態を図面に基づいて説明する。
図１は、本発明のグレイジングチャンネルＧと縦框（枠材）１４の取り付け状態を示す横断面図であり、図２（ａ）は、本発明のグレイジングチャンネルＧを適用するドアＤを示す横断面図であり、図２（ｂ）は、図２（ａ）のドアＤの正面図であり、図３（ａ）（ｂ）（ｃ）（ｄ）は、本グレイジングチャンネルＧを縦框（枠材）１４のパネル取付溝１５に取り付ける手順を説明する横断面図である。本グレイジングチャンネルＧは図２（ａ）（ｂ）のように、ドアＤのすべての框（枠材）１４，１４，１９，２０に取り付けたものであり、このドアＤは、上框１９と下框２０と左右縦框（枠材）１４，１４により四方を囲むと共に、すべての框（枠材）１４，１４，１９，２０の内周側面Ｒには、グレイジングチャンネルＧを保持するための凹状をなすパネル取付溝１５を有しており、このパネル取付溝１５に沿ってパネル１３の端部２１に取り付けたグレイジングチャンネルＧを挿入するものであり、グレイジングチャンネルＧは、硬質材と軟質材とを一体成形したものである。この中で本実施形態では、建物の外壁に取り付けたドアＤの縦框（枠材）１４のパネル取付溝１５に取り付けるグレイジングチャンネルＧについて説明するものであるが、まず縦框（枠材）１４は、図１と図２のように、室内側の一方側見付壁３１と、室外側の他方側見付壁３２と、一方側見付壁３１と他方側見付壁３２とをつなぐ外周側見込壁３４と、内周側見込壁３３とから四方を囲む略矩形状であり、縦框（枠材）１４の内周側には、グレイジングチャンネルＧを保持するパネル取付溝１５を有しており、パネル取付溝１５の溝開口は、内周側見込壁３３の他方側寄りに偏って設けてある。パネル取付溝１５は、縦框（枠材）１４内の一方側内壁２９と、他方側見付壁３２の一部と、一方側内壁２９と他方側見付壁３２とをつなぐ外周側内壁３０ａ,３０ｂと、内周側見込壁３３の溝開口を除く壁部とから囲まれた略凹状をなすものであり、一方側内壁２９は、内周側見込壁３３の一方側寄りの箇所に内周側端縁を接合すると共に、内周側端縁から外周側へ垂直に延びて他方側壁部３と略平行に配するものである。外周側内壁３０ａ,３０ｂは、室内側の一方側から室外側の他方側までの略中間部より他方側の壁領域（以下、外周側内壁他方側壁部）３０ａが、一方側の壁領域（以下、外周側内壁一方側壁部とする）３０ｂよりも略外周側に奥まった段状をなすもので、このうちの他方側見付壁３２と外周側内壁他方側壁部３０ａとから囲んだパネル取付溝１５内の領域２６には、パネル取付溝１５内に取り付けを完了したパネル１３およびグレイジングチャンネルＧが納まり、内周側見込壁３３の溝開口の一方側の端縁を形成する内周側見込壁一方側壁部２８と、一方側内壁２９と、外周側内壁一方側壁部３０ｂとから囲んだパネル取付溝１５内の領域は、パネル取付溝１５に取り付け途中にある溝底壁部２が一旦入り込んで通過するための余裕空間部２３としている。内周側見込壁一方側壁部２８は、一方側被係合部１７を有しており、一方側被係合部１７は、パネル取付溝１５内の溝開口縁よりも外周側へ僅かに奥まった位置２５まで垂直に伸びると共に、この奥まった位置２５から他方側へ垂直に突出して段状に形成してある。他方側見���壁３２は、内周側端部をパネル取付溝１５内側に折り返して、一方側被係合部１７と対向する一方側に突出する溝開口端部１６を形成しており、さらに、他方側見付壁３２のパネル取付溝１５内側の溝開口端部１６から外周側内壁３０ａ，３０ｂに至るまでの略中間位置には、溝開口端部１６と略同じ高さの突出片を有しており、この突出片がグレイジングチャンネルＧの他方側被係合部１８となっている。
【０００９】
グレイジングチャンネルＧは、図１に示すように、一方側壁部１と他方側壁部３と溝底壁部２とを三方に配し、パネル１３の端部２１を保持するパネル保持溝４を有するものである。他方側壁部３は、パネル保持溝４の溝底壁部２から溝開口端部１６に至るまでパネル１３の他方側面Ｑに沿う略垂直壁となっており、他方側壁部３の溝底壁部２から溝開口端部１６までの中間部には、縦框（枠材）１４のパネル取付溝１５内にある他方側被係合部１８と係合する他方側係合部１０を有しており、他方側係合部１０は、縦框（枠材）１４の他方側被係合部１８の突出した先端を係合できる凹型の窪み状をなしている。他方側壁部３の溝開口側端部９は、他の箇所に比べて薄肉で且つ軟質に形成してあり、縦框（枠材）１４のパネル取付溝１５に取り付けたときに、縦框（枠材）１４の他方側の溝開口端部１６から押され、パネル１３と縦框（枠材）１４との隙間が狭くなると共に、溝開口側端部９の端縁がパネル１３の内周側面Ｒと略面一となる。一方側壁部１は、溝底壁部２側がパネル１３の一方側面Ｐに沿って延びる略垂直壁部２２を有しており、この略垂直壁部２２の溝開口側の端縁からパネル保持溝４の開口縁までの区間は、溝開口側に向かって一方側に拡がるように傾斜する傾斜部７を有する膨出部６を形成しており、膨出部６は、傾斜部７と、グレイジングチャンネルＧを縦框１４のパネル取付溝１５内に取り付けたときに縦框（枠材）１４の内周側面Ｒと略面一となる膨出部見込壁２７とから略Ｖ字状をなすものである。また、膨出部見込壁２７の溝開口端部側の箇所（他方側端部）には、パネル保持溝４内に突出した軟質の溝開口部パネル当接部１１を有しており、また、略垂直壁部２２と膨出部６の傾斜部７との交差するコーナー部（連接箇所）にあるパネル保持溝４側の箇所においても、パネル保持溝４内に突出した軟質の交差部パネル当接部１２を有しており、溝開口部パネル当接部１１と交差部パネル当接部１２がパネル１３の一方側面Ｐに当接して、パネル１３と略垂直壁部２２との間に隙間２４を形成する。膨出部６の膨出部見込壁２７と傾斜部７との交わる位置（一方側端部）には一方側係合部８を有しており、一方側係合部８は、縦框（枠材）１４のパネル取付溝１５にグレイジングチャンネルＧを取り付けたときに、縦框（枠材）１４の内周側見込壁一方側壁部２８の奥まった位置２５に入り込んで一方側被係合部１７と係合し、縦框（枠材）１４の内周側面ＲとグレイジングチャンネルＧの内周側を面一とする。
【００１０】
パネル１３の端部２１を呑み込んだグレイジングチャンネルＧを縦框（枠材）１４のパネル取付溝１５に取り付ける手順を図３（ａ）（ｂ）（ｃ）（ｄ）に基づいて以下に説明する。
図３（ａ）に示すように、まず、グレイジングチャンネルＧのパネル保持溝４にパネル１３の端部２１を挿入する。このときパネル保持溝４では、パネル１３の一方側面Ｐに対して、溝開口部パネル当接部１１と交差部パネル当接部１２が当接する（図１もあわせて参照）。他方側壁部３のパネル保持溝４側は、パネル１３の他方側面Ｑに対してほとんどが当接する。溝底壁部２は、パネル１３の端部２１の端面に当接する。次に図３（ｂ）に示すように、端部２１にグレイジングチャンネルＧを取り付けたパネル１３を縦框（枠材）１４のパネル取付溝１５に適宜な方向から近付けていき、溝底壁部２側をパネル取付溝１５に対し、溝開口から余裕空間部２３に到達するまで適宜な角度から差し込んでいき、図３（ｃ）に示すように、グレイジングチャンネルＧの他方側壁部３の溝開口側端部９を、縦框（枠材）１４のパネル取付溝１５他方側の溝開口端部１６に押し当て、次いで、溝開口側端部９を支点として、一方側係合部８が縦框（枠材）１４のパネル取付溝１５内にある一方側被係合部１７に係合するまでパネル１３を一方側に回す。このとき、縦框（枠材）１４のパネル取付溝１５が一方側に奥行きをもつ余裕空間部２３を有することで、グレイジングチャンネルＧをパネル取付溝１５の溝壁に当たり妨げられることなく挿入・回転できる。ここで傾斜部７を設けることにより、パネル１３を縦框（枠材）１４のパネル取付溝１５に差し込んで回すことに伴うグレイジングチャンネルＧの回転半径が小さくなって、グレイジングチャンネルＧの回転途中で一方側被係合部１７を巻き込まずに、縦框（枠材）１４のパネル取付溝１５に係合し且つ取り付けする。図３（ｄ）に示すように、一方側係合部８が一方側被係合部１７に係合することにより、グレイジングチャンネルＧを縦框（枠材）１４のパネル取付溝１５内の領域２６に完全に差し込んだときには、他方側係合部１０が縦框（枠材）１４のパネル取付溝１５の他方側被係合部１８に係合する。他方側壁部３の溝開口側端部９は、縦框（枠材）１４のパネル取付溝１５の溝開口端部１６によりパネル１３の他方側面Ｑに挟まれることで、グレイジングチャンネルＧが縦框（枠材）１４とパネル１３との間の隙間がほとんどなくなると共に、グレイジングチャンネルＧが縦框（枠材）１４の内周側面Ｒと略面一となって取り付けを完了する。ここで、縦框（枠材）１４とパネル１３との間の隙間が狭くなることにより、縦框（枠材）１４内周側面Ｒの他方側のカビの発生が抑えられるようになる。
【００１１】
本発明のグレイジングチャンネルＧは、本実施形態で例示したドアＤの他に、例えば引戸障子やＦｉｘ窓、片引きのＦｉｘ窓等にも適用できる。請求項および本実施形態では、パネルが隔てる方向について一方側と他方側としているが、この表現には例えば、浴室と脱衣室、居住空間側とテラス・ベランダ側との関係なども含まれる。枠材とは框や枠体などが含まれる。尚、浴室の場合には、室外側は浴室側となり、室内側は脱衣室側となる。
【図面の簡単な説明】
【００１２】
【図１】図２（ａ）中Ａを拡大して、本発明のグレイジングチャンネルを縦框（枠材）に取り付けた状態を示す要部を拡大した横断面図である。
【図２】（ａ）は、本発明のグレイジングチャンネルを適用したドアの横断面図であり、（ｂ）は、（ａ）のドアの正面図である。
【図３】（ａ）〜（ｄ）は、本発明のグレイジングチャンネルの縦框（枠材）に対する取り付けの手順を示す一部を切欠した平面図である。
【符号の説明】
【００１３】
１  一方側壁部
２  溝底壁部
３  他方側壁部
６  膨出部
７  傾斜部
８  一方側係合部
９  溝開口側端部
１０  他方側係合部
１１  溝開口部パネル当接部
１２  交差部パネル当接部
１３  パネル
１４  縦框（枠材）
１５  パネル取付溝
１６  溝開口端部
１７  一方側被係合部
１８  他方側被係合部
２２  略垂直壁部
２３  余裕空間部
Ｇ  グレイジングチャンネル
Ｐ  一方側面
Ｑ  他方側面
Ｒ  内周側面
【図１】
2008150923.tif 000003
【図２】
2008150923.tif 000004
【図３】
2008150923.tif 000005